(57)【要約】【課題】  視認性の良いレイアウトのＷｅｂページの作成及び更新を音声入力によって支援することができるＷｅｂページ作成・更新サービスシステムおよび更新支援方法を提供すること。【解決手段】  電話回線を介してＷｅｂページ内に配置するテキストデータに関する音声を受信する通信手段と、受信した音声を認識し、テキストデータに変換した後、変換したテキストデータの中に設定ファイルに設定されたキーワードが存在するかをチェックし、存在した場合には当該キーワードを前記設定ファイルに設定されているＨＴＭＬタグに変換し、前記テキストデータを前記ＨＴＭＬタグで構造化されたハイパーテキストデータに変換する音声認識手段と、変換されたハイパーテキストデータをＷｅｂページのデータを格納するデータベースに登録する登録手段とを備えることを特徴とする。【選択図】      図１
2005092556.tif 000002
【特許請求の範囲】
【請求項１】
電話回線を介してＷｅｂページ内に配置するテキストデータに関する音声を受信する通信手段と、受信した音声を認識し、テキストデータに変換した後、変換したテキストデータの中に設定ファイルに設定されたキーワードが存在するかをチェックし、存在した場合には当該キーワードを前記設定ファイルに設定されているＨＴＭＬタグに変換し、前記テキストデータを前記ＨＴＭＬタグで構造化されたハイパーテキストデータに変換する音声認識手段と、変換されたハイパーテキストデータをＷｅｂページのデータとして格納するデータベースに登録する登録手段とを備えることを特徴とするＷｅｂページ作成・更新サービスシステム。
【請求項２】
前記音声入力手段が、入力音声をハイパーテキスト化しないことを示す音声コマンドを認識する手段を備え、前記音声コマンドを認識した場合には入力音声をテキストデータとして認識し、Ｗｅｂページのデータとして前記データベースに格納することを特徴とする請求項１に記載のＷｅｂページ作成・更新サービスシステム。
【請求項３】
電話回線を介して受信した音声を音声認識手段によって認識し、テキストデータに変換してＷｅｂページの作成・更新を支援するＷｅｂページ作成・更新支援方法であって、
前記音声認識手段によって変換したテキストデータの中に設定ファイルに設定されたキーワードが存在するかをチェックし、存在した場合には当該キーワードを前記設定ファイルに設定されているＨＴＭＬタグに変換し、前記テキストデータを前記ＨＴＭＬタグで構造化されたハイパーテキストデータに変換するステップと、
変換されたハイパーテキストデータをＷｅｂページのデータとしてデータベースに登録するステップとを備えることを特徴とするＷｅｂページ作成・更新支援方法。
【発明の詳細な説明】
【技術分野】
【０００１】
本発明は、携帯電話機から受信した音声を音声認識手段を用いてテキストデータ化し、
さらにそのテキストデータ中のキーワードを、予めユーザが対応付けたＨＴＭＬタグ等に変換する事によりＷｅｂページの作成および更新を支援するＷｅｂページ作成・更新サービスシステムおよびＷｅｂページ作成・更新支援方法に関するものである。
【背景技術】
【０００２】
従来、音声データをテキストデータに変換し、データベースに登録し管理する技術と
して、例えば、特許文献１に記載のものが知られている。
【０００３】
下記特許文献１に記載のものは、電話回線を介し、音声を音声認識手投によりテキス
トデータ化し、それをデータベースに登録することにより、専用端末やコンピュータ網
に接続できるコンピュータを所持しないユーザでも、電話機を用いたデータ入力を可能にするデータ入力システムである。
【特許文献１】特開平１０−２５７１８０号公報
【発明の開示】
【発明が解決しようとする課題】
【０００４】
特許文献１に記載のものは、音声認識手段によって変換されたテキストデータのデータ
ベースヘの登録システムに関するものであり、その一環としてホームページ作成サービ
スが提示されているが、テキストデータに特化したものであるため、完全に固定された
データ表示額域に発声した文言を表示する等、Ｗｅｂページの作成・更新サービスとしては機能が限定されており、画像へのハイパーリンクや、フォントの色、サイズの変更等、Ｗｅｂページの特性を生かした柔軟で視認性の良いレイアウトのＷｅｂページを作成したり、更新することができないという問題がある。
【０００５】
本発明の目的は、視認性の良いレイアウトのＷｅｂページの作成及び更新を音声入力によって支援することができるＷｅｂページ作成・更新サービスシステムおよびＷｅｂページ作成・更新支援方法を提供することにある。
【課題を解決するための手段】
【０００６】
上記の目的を達成するために、本発明は、電話回線を介してＷｅｂページ内に配置するテキストデータに関する音声を受信する通信手段と、受信した音声を認識し、テキストデータに変換した後、変換したテキストデータの中に設定ファイルに設定されたキーワードが存在するかをチェックし、存在した場合には当該キーワードを前記設定ファイルに設定されているＨＴＭＬタグに変換し、前記テキストデータを前記ＨＴＭＬタグで構造化されたハイパーテキストデータに変換する音声認識手段と、変換されたハイパーテキストデータをＷｅｂページのデータを格納するデータベースに登録する登録手段とを備えることを特徴とする。
また、前記音声入力手段が、入力音声をハイパーテキスト化しないことを示す音声コマンドを認識する手段を備え、前記音声コマンドを認識した場合には入力音声をテキストデータとして認識し、Ｗｅｂページのデータとして前記データベースに格納することを特徴とする。
【０００７】
また、電話回線を介して受信した音声を音声認識手段によって認識し、テキストデータに変換してＷｅｂページの作成・更新を支援するＷｅｂページ作成・更新支援方法であって、
前記音声認識手段によって変換したテキストデータの中に設定ファイルに設定されたキーワードが存在するかをチェックし、存在した場合には当該キーワードを前記設定ファイルに設定されているＨＴＭＬタグに変換し、前記テキストデータを前記ＨＴＭＬタグで構造化されたハイパーテキストデータに変換するステップと、変換されたハイパーテキストデータをＷｅｂページのデータとしてデータベースに登録するステップとを備えることを特徴とする。
【発明の効果】
【０００８】
本発明によれば、携帯電話機等の電話機を介して受信した音声をテキストデータ化し、その中にユーザが予め設定ファイルに設定したキーワードがあれば、そのキーワードを設定ファイルに設定したＨＴＭＬタグに変換し、該ＨＴＭＬタグで構造化されたハイパーテキストデータに変換し、Ｗｅｂページのレイアウトを音声によって指示することができ、視認性の良いレイアウトのＷｅｂページの作成及び更新を音声入力によって支援することができる。特に、タグ構造を音声によって指定できることにより、例えば、ディジタルカメラ機能付きの携帯電話機を用いて画像のアップロード等を音声によるテキストデータの入力と連動させることが可能になり、実況中縦や緊急事態の通告、インターネットを利用した号外記事など、即時性が必要となる情報を、文字だけでなく画像等とリンクしたり、フォントサイズや色などを変換することで、よりビジュアルに公開することが可能となる。
【発明を実施するための最良の形態】
【０００９】
以下、本発明を実施する場合の一形態を図面を参頗して具体的に説明する。
図１は、本発明の実施の一形態のＷｅｂページ作成・更新サービスシステムの構成を示すブロック図である。
図１において、ユーザは携帯電話機や音声通信機能を持つＰＤＡなどの携帯端末１を用いて、電話回線２を介し、アクセスポイント３に接続し、音声や画像データをＷｅｂページ作成・更新サービス装置４に送信する。
Ｗｅｂページ作成・更新サービス装置４は、通信手段４１と、音声入力手段４２と、設定ファイル４３と、登録手段４４と、データベース４５とで構成されている。
音声認識手段４２は、通信手段４１が携帯端末１から受信した音声をテキストデータに変換するものである。
【００１０】
設定ファイル４３は、音声認識手段４２が認識したテキストデータ中に予め設定したキーワードが存在したならば、そのキーワードを予め設定したＨＴＭＬタグに変換するためのものであり、例えば図２に示すように、キーワードとそのＨＴＭＬタグが予め設定されている。
この設定ファイル４３は、ユーザ別に自由に設定可能になっている。
図２に示す設定ファイル４３は、「ＤＥＦＡＵＬＴ」セクションに、更新対象となるＷｅｂページの、デフォルトのレイアウトが＜ＨＴＭＬ＞〜＜／ＨＴＭＬ＞の部分に記述されており、$voicel、&voice2、‥が配置された箇所に、データベース４５で管理されているハイパーテキストデータ$voicel、&voice2、…を配置することが記述される。
【００１１】
また、「ＴＡＧＳ」セクションには、ユーザが発声したキーワードと、それに対応して挿入したいＨＴＭＬタグが記述されている。図２の例では、「こちらの画像」と発声するたびに、「こちらの画像」がキーワードとして認識され、タグ中のimgcnt（イメージカウント値）がインクリメントされ、img0001.jpg、img0002.jpgへのハイパーリンクが挿入される設定になっている。また、「ＸＸＸソフト」と発声すると、「ＸＸＸソフト」がキーワードとして認識され、ＸＸＸソフト社の公式サイトヘのハイパーリンクが挿入される設定になっている。同様に、「次に」と発声すると、「次に」と記述されたのちに「次に」の直前の位置に改行が挿入される設定になっている。
また、ワイルドカード等にも対応可能なように、「まさに〜」と発声すると、「ま
さに」より後の記述が太字で強調される設定になっている。また、単純に改行を挿入したい場合は、「改行」と発声すると、改行タグのみが挿入される設定になっている。
【００１２】
音声認識手段４２は、通信手段４１から受信した音声を認識し、テキストデータに変換した後、変換したテキストデータの中に設定ファイル４３に設定されたキーワードが存在するかをチェックし、存在した場合には当該キーワードを前記設定ファイル４３に設定されているＨＴＭＬタグに変換し、認識したテキストデータをＨＴＭＬタグで構造化されたハイパーテキストデータに変換する
登録手段４４は、音声認識手段４２から出力されるハイパーテキストデータをデータベース４５に格納する。
データベース４５は、作成・更新されたＷｅｂページ５のＨＴＭＬデータをユーザ別に格納する。
【００１３】
図３は、ある任意のユーザＡによって事前に作成されているＷｅｂページを更新する場合の手順を示すフローチャートである。
最初に、ユーザＡは、携帯端末１を用い、電話回線２経由でアクセスポイント３に接続
する（ステップ３０１）。アクセスポイント３は、通知された電話番号と、予め登録されている電話番号とを照合し、携帯端末１がサービス利用可能者であるかの認証を行う（ステップ３０２）。
【００１４】
携帯端末１がサービス利用可能者であれば、Ｗｅｂページ作成・更新サービス装置４に接続し、Ｗｅｂページの作成・更新が可能な状態とする（ステップ３０３）。すると、携帯端末１に対し、Ｗｅｂページ作成・更新サービス装置４から「データ入力を行って、更新指示をして下さい」旨の音声が送られる。または携帯端末１の液晶画面に、その旨の指示が表示される（ステップ３０４）。いずれの方法を用いるかは予め設定されている。
【００１５】
データ入力可な状態になった段階で、携帯端末１において音声を発声して録音し、さらには更新対象の画像データを記録し、これらの音声及び画像データを送信（アップロード）し（ステップ３０５）、音声またはコマンドによって「更新」を指示する（ステップ３０６）と、これらの音声、画像データは通信手段４１を介して音声認識手段４２に渡される。
音声認識手段４２、ユーザが予め設定しておいた設定ファイル４３を参照し（ステップ３０７）、入力音声をハイパーテキストデータに変換する（ステップ３０８）。
すなわち、通信手段４１から受信した音声を認識し、テキストデータに変換した後、変換したテキストデータの中に設定ファイル４３に設定されたキーワードが存在するかをチェックし、存在した場合には当該キーワードを設定ファイル４３に設定されているＨＴＭＬタグに変換し、認識したテキストデータをＨＴＭＬタグで構造化されたハイパーテキストデータに変換する。
登録手段４４は、音声認識手段４２から出力されるハイパーテキストデータをデータベース４５のユーザＡのＷｅｂページ５の更新データとして格納する（ステップ３０９）。
【００１６】
データベース４５への登録が終わった段階で、Ｗｅｂページ作成・更新サービス装置４は携帯端末１に対し、「正常に更新が行なわれました。更新作業を終了しますか」旨の問い合わせをする案内音声が送信する（ステップ３１０）。更新作業を終了する旨の応答があった場合は回線を切断し（ステップ３１１）、続行する場合はデータ入力可能状態に戻る（ステップ３０４）。
【００１７】
上記した手順が一度の『更新』指示に対する１サイクルであり、更新指示１回につき、ハイパーテキスト変換が１回行なわれ、それらは例えば更新した順に$voiceOOOl、$voiceOOO2といった形で管理される。
【００１８】
また、携帯端末１に付属しているディジタルルカメラ機能等を利用した画像等、バイナリデータのアップロードも可能であり、それらは例えば更新した順に、img0001.jpg、img0002.jpg…といった形で管理される。バイナリデータに関しては、音声認識４２は認識対象とせず、登録手段４４に転送する。
【００１９】
図２の用に設定された設定ファイル４３を、図４に示すような音声に適用すると、図５のようなＷｅｂページが作成される。
この音声の中で、「こちらの画像」、「改行」、「まさに」、「ＸＸＸソフト」が設定ファイル４３に設定されたキーワードとして認識される。最初の「こちらの画像」は、＜a href=”img+\img0001.jpeg”＞こちらの画像＜/a＞というハイパーテキストデータに変換される。２行目の「こちらの画像」は、＜a href=”img+\img0002.jpeg”＞こちらの画像＜/a＞というハイパーテキストデータに変換される。
【００２０】
以上のように、本実施形態によれば、Ｗｅｂページのレイアウトを音声で指示することができるため、音声によってＷｅｂページ内の文字を更新できることはもとより、そのレイアウトを設定ファイル４２に設定した条件に従って自由に設定することができる。
従って、例えば、ディジタルカメラ機能付きの携帯電話機を用いて画像のアップロード等を音声によるテキストデータの入力と連動させることが可能になり、実況中縦や緊急事態の通告、インターネットを利用した号外記事など、即時性が必要となる情報を、文字だけでなく画像等とリンクしたり、フォントサイズや色などを変換することで、よりビジュアルに公開することが可能となる。
【００２１】
なお、テキストデータを発声した音声をハイパーテキスト化せず、単純にテキスト表示したい場合も、携帯端末１から、例えば「通常更新」またはハイパーテキスト更新」を指定し、これを音声認識手段４２でコマンドとして認識し、「通常更新」ならば音声をハイパーテキスト化しないでＷｅｂページを更新するように構成することができる。
また、上記実施形態では、既に作成してあるＷｅｂページを更新する場合について説明したが、設定ファイル４３の設定内容として新規作成用の記述を付加することにより、新規作成の場合にも適用することができる。
【図面の簡単な説明】
【００２２】
【図１】本発明のＷｅｂページ作成・更新サービスシステムの一実施の形態を示すブロック図である。
【図２】図１における設定ファイルの記述内容の一例を示す図である。
【図３】音声をハイパーテキストデータに変換するまでの手順を示すフローチャートである。
【図４】入力音声の一例を示す図である。
【図５】図４の入力音声を認識して更新されたＷｅｂページの例を示す図である。
【符号の説明】
【００２３】
１      携帯端末
２      電話回線
３      アクセスポイント
４      Ｗｅｂページ作成・更新サービス装置
５      作成・更新されたＷｅｂページ
４１    通信手段
４２    音声認識手段
４３    設定ファイル
４４    登録手段
４５      データベース
【図１】
2005092556.tif 000003
【図２】
2005092556.tif 000004
【図３】
2005092556.tif 000005
【図４】
2005092556.tif 000006
【図５】
2005092556.tif 000007